(57)【特許請求の範囲】
【請求項１】
糊代パネル、天パネル、後パネル、底パネル、前パネル、蓋パネル、蓋下パネルを折れ線を介して順次連設したブランクの各パネルを折り曲げて、前記糊代片と前記前パネルとを貼り合わせ、前記蓋下パネルを内側に折り畳んで前記蓋パネルに重ね合わせ、重ね合わせた前記蓋パネルと前記蓋下パネルを内側に折り畳んで前記天パネルに重ね合わせて前記蓋下パネルと前記天パネルとを部分的に貼り合わせてなり、前記前パネルに摘み片を設け、該摘み片の両端から斜め方向に前記蓋パネルとに跨って二本のジッパーを設け、前記天パネルと前記蓋下パネルに内容物の取り出し口を設けてなる易開封カートンにおいて、
ポップアップ部が前記蓋パネルと前記蓋下パネルとの間に折り込まれていることを特徴とするポップアップ付き易開封カートン。
【請求項２】
前記ポップアップ部が折れ線で連設したポップアップパネルと支え片とからなり、前記ポップアップパネルは、前記蓋下パネルの一方の側辺の一部を４５度前記蓋パネル側にカットした形の折れ線で連結し、前記支え片は、前記蓋パネルの同一側の側辺の一部を４５度前記蓋下パネル側にカットした形の折れ線で連設していることを特徴とする請求項１に記載のポップアップ付き易開封カートン。
【発明の詳細な説明】
【０００１】
【発明の属する技術分野】
本発明は、販売促進効果を高め、ポップアップディスプレイとカートンとが一体化されたポップアップ付き易開封カートンに関するものであり、詳しくは通常の自動製函機での量産が可能なポップアップ付き易開封カートンに関するものである。
【０００２】
【従来の技術】
従来、ポップアップディスプレイは組立が簡単なことから飛び出す絵本等にも広く利用されて来ている。一方、カートンにおいても、様々な工夫がパッケージデザイン面で施され、注目度を高めるような手段が講じられている。
【０００３】
【発明が解決しようとする課題】
しかしながら、消費者の注目度を引きつけるには従来の方法では限界があり、より効果的な商品を開発して消費者の注目度を高める手段がカートンに求められている。その中に、ポップアップディスプレイとカートンとが一体化したポップアップ付き易開封カートンがあるが、ポップアップ部分とカートンとが別部分となっており、量産を行う自動製函機での生産が難しく手作業で行うことになり、コストが高くなるという問題がある。
【０００４】
本発明は、ポップアップ部分とカートンとが一つのブランクから組み立てられ、また、通常の自動製函機により生産可能であり、量産ができることから低コストであるポップアップディスプレイとカートンを一体化したポップアップ付き易開封カートンを提供することを目的とするものである。
【０００５】
【課題を解決するための手段】
前記課題を解決するためになされた本発明は、糊代パネル、天パネル、後パネル、底パネル、前パネル、蓋パネル、蓋下パネルを折れ線を介して順次連設したブランクの各パネルを折り曲げて、前記糊代片と前記前パネルとを貼り合わせ、前記蓋下パネルを内側に折り畳んで前記蓋パネルに重ね合わせ、重ね合わせた前記蓋パネルと前記蓋下パネルを内側に折り畳んで前記天パネルに重ね合わせて前記蓋下パネルと前記天パネルとを部分的に貼り合わせてなり、前記前パネルに摘み片を設け、該摘み片の両端から斜め方向に前記蓋パネルとに跨って二本のジッパーを設け、前記天パネルと前記蓋下パネルに内容物の取り出し口を設けてなる易開封カートンにおいて、ポップアップ部が前記蓋パネルと前記蓋下パネルとの間に折り込まれていることを特徴とするポップアップ付き易開封カートンである。
【０００６】
また、前記ポップアップ部が折れ線で連設したポップアップパネルと支え片とからなり、前記ポップアップパネルは、前記蓋下パネルの一方の側辺の一部を４５度前記蓋パネル側にカットした形の折れ線で連結し、前記支え片は、前記蓋パネルの同一側の側辺の一部を４５度前記蓋下パネル側にカットした形の折れ線で連設していることを特徴とする。
【０００７】
本発明によれば、ポップアップ部分とカートンとが一つのブランクから組み立てられ、また、通常の自動製函機により生産可能であり、量産ができることから低コストであるポップアップディスプレイとカートンを一体化したポップアップ付き易開封カートンを得ることができる。
【０００８】
【発明の実施の形態】
本発明のポップアップ付き易開封カートンの実施の形態について図面により詳しく説明する。
【０００９】
図１は本発明によるポップアップ付き易開封カートンの実施の形態の一実施例を示す斜視図であり、図１−ａは、本発明によるポップアップ付き易開封カートンＡの開封前の状態を示す斜視図であり、図１−ｂは、本発明によるポップアップ付き易開封カートンＡの開封後のポップアップ部分が立体的に飛び出した状態を示す斜視図である。図で示すように、ポップアップ付き易開封カートンＡは、形状が横長の直方体で、ジッパーＺによる易開封機能を有するカートンであり、開封蓋Ｓを開くことにより、ポップアップ部分Ｐが表出して飛び出す構造となっている。また、開封蓋Ｓは、通常時には天パネルに設けた内容物の取り出し口Ｏを塞ぐ形となっている。
【００１０】
図２は本発明によるポップアップ付き易開封カートンＡのブランクの展開図である。ブランク１０は、糊代片１１、天パネル１２、後パネル１３、底パネル１４、前パネル１５、蓋パネル１６、蓋下パネル１７を、折れ線ａ、ｂ、ｃ、ｄ、ｅ、ｆを介してそれぞれ連設し、天パネル１２の両側辺に折れ線ｇを介して側パネル１８、１８をそれぞれ連設し、後パネル１３の両側辺に折れ線ｈを介して折り込み片１９、１９をそれぞれ連設し、底パネル１４の両側辺に折れ線ｉを介して側下パネル２０、２０をそれぞれ連設し、前パネル１５の両側辺に折れ線ｊを介して折り込み片２１、２１をそれぞれ連設している。
【００１１】
また、蓋下パネル１７と天パネル１２には、内容物を取り出すための取り出し口Ｏを設け、この取り出し口Ｏは、打ち抜いた窓状の開口した形状であってもよいが、開封後に開口可能なように、ミシン目などで設けることができる。また、前パネル１５には、摘み片Ｔを設け、この摘み片Ｔの両端から斜め方向に蓋パネル１７とに跨って二本のジッパーＺを設けている。また、この摘み辺Ｔを差し込む差し込み口Ｕを、糊代片１１に設けている。さらに、蓋下パネル１７の角部は、蓋パネル１６に設けたジッパーＺの位置に合わせて切り欠け部分を設けている。
【００１２】
さらにまた、ポップアップ部Ｐは、ポップアップパネル２２と支え片２３とからなり、蓋パネル１６と蓋下パネル１７に跨ってカートン本体に連結されている。このポップアップパネル２２は、蓋下パネル１７の一方の側辺の一部を４５度蓋パネル側にカットした形の折れ線ｌで連結し、支え片２３は、蓋パネル１６の同一側の側辺の一部を４５度蓋下パネル側にカットした形の折れ線ｋで連設している。そして、ポップアップパネル２２と支え片２３とが折れ線ｍで連設され、この折れ線ｋ、ｌ、ｍでポップアップ部Ｐが蓋パネル１６と蓋下パネル１７の間に折り込まれる。
【００１３】
つぎに、図２に示した展開されたブランク１０からの本実施の形態のポップアップ付き易開封カートンＡを組立てて内容物を充填包装する工程について図を用いて説明する。
【００１４】
まず、ブランク１０の状態から、図３−ａに示すように、折り畳まれた状態のポップアップ付き易開封カートンＡとする。この工程は、まず、図３−ｂに示すように、天パネル１２を折れ線ｂで後パネル１３側に折り曲げる。つぎに、図３−ｃに示すように、蓋下パネル１７を折れ線ｆで蓋パネル１６側に折り曲げる。この時、ポップアップ部Ｐであるポップアップパネル２２と支え片２３とが、折れ線ｋ、ｌ、ｍで折り曲げられて蓋パネル１６と蓋下パネル１７の間に折り込まれる。つぎに、図３−ｄに示すように、折り畳まれた蓋下パネル１７、蓋パネル１６、そして前パネル１５を折れ線ｄで底パネル１４側に折り曲げて糊代片１１と前パネル１５とを部分的に貼り合わせる。同時に、蓋下パネル１７と天パネル１２とを部分的に貼り合わせる。この時に、蓋パネル１６の一部と天パネル１２とを蓋下パネル１７の切り欠け部分を通して貼り合わせることが好ましい。このようにして、折り畳まれた状態のポップアップ付き易開封カートンＡが作製されるが、この加工は、従来の製函工程で行うことができる。
【００１５】
つぎに、従来の所謂カートニングマシーンによって、ポップアップ付き易開封カートンＡが組み立てられ、内容物が充填され、密封されるが、まず、折り畳まれた状態から、図４−ａに示すように起こされた状態とする。つぎに、図４−ｂに示すように、一方の側部を形成するが、まず、二つの折り込み片１９、２１を内側に折り込み、つぎに側下パネル２０を内側に折り曲げ、さらに、側パネル１８を折り曲げて側下パネル２０と接着して固定する。
【００１６】
この図４−ｃに示した状態で、他方の側部側から内容物をカートン内に挿入する。そして、前記の側部の形成と同様に、二つの折り込み片１９、２１を内側に折り込み、つぎに側下パネル２０を内側に折り曲げ、さらに、側パネル１８を折り曲げて側下パネル２０と接着して固定して、図１に示すように、ポップアップ付き易開封カートンＡの組立ておよび内容物の充填包装を終了する。
【００１７】
上述のように作製された本発明のポップアップ付き易開封カートンＡを実際に使用する時には、まず、前パネル１５に設けた摘み片Ｔを取っ掛かりとしてジッパーＺを引き裂くことにより、蓋パネル１６の蓋部Ｓを開封することができる。この蓋部Ｓを外側に開くことによって、蓋下パネル１７の取り出し口Ｏが表出すると同時にポップアップ部Ｐが飛び出してくる。つぎに、取り出し口Ｏのミシン目を引き裂き取り出し口Ｏを開口して内容物を取り出すことができる。さらに、開封後、蓋部Ｓの摘み片Ｔを糊代片１１に設けた差し込み口Ｕに差し込むことによってリクローズすることができる。
【００１８】
本発明のポップアップ付き易開封カートンに使用される板紙はカートンサイズにもよるが、コートボール、クラフトボール、マニラボール等広範囲のものが好適に使用できる。坪量についてはカートンブランクサイズに合わせて適宜選択することができる。
【００１９】
本発明のポップアップ付き易開封カートンのブランクへの印刷は、オフセット印刷、グラビア印刷、フレキソ印刷、シルクスクリーン印刷等いかなる方法を用いてもよい。さらに、印刷面に対して艶出し、箔押し、エンボス等の後加工も自由に行うことができる。
【００２０】
本発明によるポップアップ付き易開封カートンは実施例の記載に限定されることなく、本発明の要旨を逸脱しない範囲内で種々の変形が可能である。例えば、ポップアップ部Ｐの形状をデザインに合わせて種々の形とすることができる。
【００２１】
【発明の効果】
本発明によれば、ポップアップ部分とカートンとが一つのブランクから組み立てられ、また、通常の自動製函機により生産可能であり、量産ができることから低コストであるポップアップディスプレイとカートンを一体化したポップアップ付き易開封カートンを得ることができる。
【図面の簡単な説明】
【図１】本発明におけるポップアップ付き易開封カートンの実施の形態の一実施例を示す斜視図である。
【図２】図１の本発明におけるポップアップ付き易開封カートンのブランクの展開図である。
【図３】本発明におけるポップアップ付き易開封カートンを組み立てる工程を説明する斜視図である。
【図４】本発明におけるポップアップ付き易開封カートンを組み立てて内容物を充填包装する工程を説明する斜視図である。
【符号の説明】
Ａ      ポップアップ付き易開封カートン
Ｏ      取り出し口
Ｐ      ポップアップ部
Ｓ      蓋部
Ｔ      摘み片
Ｕ      差し込み口
Ｚ      ジッパー
１０      ブランク
１１      糊代片
１２      天パネル
１３      後パネル
１４      底パネル
１５      前パネル
１６      蓋パネル
１７      蓋下パネル
１８      側パネル
１９      折り込み片
２０      側下パネル
２１      折り込み片
２２      ポップアップパネル
２３      支え片
ａ〜ｍ    折れ線
【図１】
0004450961.tif 000002
【図２】
0004450961.tif 000003
【図３】
0004450961.tif 000004
【図４】
0004450961.tif 000005